(57)【要約】      （修正有）【課題】漁網に掛かった魚を捕食しようとした海鳥や海獣が網に掛かってしまうリスクを大幅に低減させ、あるいはなくす漁網の提供。【解決手段】網地２、上棚３、下棚４、浮子５、沈子６を含む漁網１であり、網地２は、対象魚種に対応した目合の漁獲用網地部２Ａと、当該網地２のうち水域表層部に位置する領域の少なくとも一部に形成された、漁獲用網地部２Ａよりも小さい目合の細目部２Ｂ、及び／または、当該網地２のうち水域表層部に位置する領域の少なくとも一部に形成された、網が張られていない開口部２Ｃと、によって構成されている。【選択図】図１
2017153435.tif 000002
【特許請求の範囲】
【請求項１】
網地、上棚、下棚、浮子、沈子を含む漁網において、
前記網地は、
対象魚種に対応した目合の漁獲用網地部と、
当該網地のうち水域表層部に位置する領域の少なくとも一部に形成された、前記漁獲用網地部よりも小さい目合の細目部、及び／または、当該網地のうち水域表層部に位置する領域の少なくとも一部に形成された、網が張られていない開口部と、
によって構成されている、漁網。
【請求項２】
前記開口部は、第１の上棚と、該第１の上棚に設けられた吊り糸と、該吊り糸によって吊られた第２の上棚と、によって囲繞された空間内に形成されている、請求項１に記載の漁網。
【請求項３】
前記第１の上棚、前記吊り糸、および前記第２の上棚のうち、前記開口部を囲繞する部分の少なくとも一部がその他の部分よりも太い、請求項２に記載の漁網。
【請求項４】
前記細目部の少なくとも一部が、当該細目部のその他の部分よりも太い、請求項１から３のいずれか一項に記載の漁網。
【請求項５】
前記細目部が、前記漁獲用網地部を構成する糸よりも太い糸で構成されている、請求項１から４のいずれか一項に記載の漁網。
【請求項６】
前記漁獲用網地部および前記細目部を含む身網と、
前記漁獲用網地部および前記開口部を含むはめ込み網と、
が組み合わされて構成されている、請求項１から５のいずれか一項に記載の漁網。
【請求項７】
前記身網と前記はめ込み網が組み合わされ、さらにその両端に袖網が組み合わされて構成されている、請求項６に記載の漁網。
【請求項８】
網の総量に対して前記はめ込み網が占める割合が１０％以上である、請求項６または７に記載の漁網。
【請求項９】
囲い網漁用の囲い網である、請求項１から８のいずれか一項に記載の漁網。
【発明の詳細な説明】
【技術分野】
【０００１】
本発明は、漁網に関する。
【背景技術】
【０００２】
漁網を使った漁業が種々行われており、その中には、刺し網（例えば特許文献１参照）を使った刺し網漁、流し網を使った流し網漁などがある。
【先行技術文献】
【特許文献】
【０００３】
【特許文献１】特開２００５−２１１０３０号公報
【発明の概要】
【発明が解決しようとする課題】
【０００４】
しかしながら、刺し網漁や流し網漁では、漁網に掛かった魚を捕食しようとした海鳥や海獣（海に棲む哺乳動物）が網に掛かってしまうことがあった。このようにして海鳥や海獣を不本意に混獲してしまうことは、生態系に影響を及ぼしうることであり、近時はこのような環境リスクをいかに低減させあるいはなくすかが重要視されることが多くなっている。
【０００５】
本発明は、漁網に掛かった魚を捕食しようとした海鳥や海獣が網に掛かってしまうリスクを大幅に低減させ、あるいはなくすことを可能とする漁網を提供することを目的とする。
【課題を解決するための手段】
【０００６】
かかる課題を解決するべく、本発明は、網地、上棚、下棚、浮子、沈子を含む漁網において、
前記網地は、
対象魚種に対応した目合の漁獲用網地部と、
当該網地のうち水域表層部に位置する領域の少なくとも一部に形成された、前記漁獲用網地部よりも小さい目合の細目部、及び／または、当該網地のうち水域表層部に位置する領域の少なくとも一部に形成された、網が張られていない開口部と、
によって構成されている、というものである。
【０００７】
この漁網においては、網地のうち、海鳥が掛かってしまうことが多い水域表層部に位置する領域の少なくとも一部に、細目部と開口部のいずれか一方または両方が形成されている。細目部は、海鳥の足等が網に掛かってしまうリスクを低減させる。また、開口部は、例えば囲い網として用いられた漁網の内側に海獣が入り込んでしまった場合に、当該海獣が、当該開口部をすり抜けて囲い網の外側へ出ることを可能とする。
【０００８】
前記開口部は、第１の上棚と、該第１の上棚に設けられた吊り糸と、該吊り糸によって吊られた第２の上棚と、によって囲繞された空間内に形成されていてもよい。
【０００９】
前記第１の上棚、前記吊り糸、および前記第２の上棚のうち、前記開口部を囲繞する部分の少なくとも一部がその他の部分よりも太いことも好ましい。
【００１０】
前記細目部の少なくとも一部が、当該細目部のその他の部分よりも太いことも好ましい。
【００１１】
前記細目部が、前記漁獲用網地部を構成する糸よりも太い糸で構成されていることも好ましい。この場合、細目部における魚の掛かりが悪くなると同時に、海鳥等の絡まりが軽減する。
【００１２】
漁網は、前記漁獲用網地部および前記細目部を含む身網と、前記漁獲用網地部および前記開口部を含むはめ込み網と、が組み合わされて構成されていてもよい。
【００１３】
また、漁網は、前記身網と前記はめ込み網が組み合わされ、さらにその両端に袖網が組み合わされて構成されていてもよい。
【００１４】
漁網においては、網の総量に対して前記はめ込み網が占める割合が１０％以上であることが好ましい。
【００１５】
漁網は、囲い網漁用の囲い網であってもよい。
【発明の効果】
【００１６】
本発明によれば、漁網に掛かった魚を捕食しようとした海鳥や海獣が網に掛かってしまうリスクを大幅に低減させ、あるいはなくすことが可能となる。
【図面の簡単な説明】
【００１７】
【図１】漁網の一形態である囲い網の全体を示す図である。
【図２】囲い網を構成する身網の上棚付近の構成例を示す図である。
【図３】囲い網を構成する身網の下棚付近の構成例を示す図である。
【図４】囲い網を構成するはめ込み網の上棚付近の構成例を示す図である。
【図５】囲い網を構成するはめ込み網の下棚付近の構成例を示す図である。
【図６】囲い網を構成する袖網の上棚付近の構成例を示す図である。
【図７】囲い網を構成する袖網の下棚付近の構成例を示す図である。
【図８】囲い網の投網の手順を示す概略図である。
【図９】囲い網の投網が終了した段階の様子を示す概略図である。
【発明を実施するための形態】
【００１８】
以下、図面を参照しつつ本発明に係る漁網の好適な実施形態について詳細に説明する（図１等参照）。以下では、囲い網１に本発明を適用した例を挙げつつ説明する。なお、以下に示す数値はあくまで好適な一例にすぎず、各種数値がこれらに限られるものではないことはいうまでもない。
【００１９】
囲い網１は、公海などの表層、一例として水深０．５〜１０ｍの索餌場所、回遊ルート等にいる魚などを漁獲する際に用いられる網の一つであり、魚の群れを囲い込んで獲るための網（巻き網）として用いられる。本実施形態の囲い網１は、複数の身網１００とはめ込み網２００とが水平方向（水域表層部に沿った方向）に組み合わされ、さらにその両端に袖網３００が組み合わされた、３つのタイプ（型）の網で構成されているものである（図１等参照）。
【００２０】
囲い網１の主要部分は、艤装（ぎそう）した上棚３に取り付けられる身網１００である（図２、図３参照）。身網１００の網地２は上棚３、下棚４に据え付けられる。浮子５を装備した上棚３の長さはａ[ｍ]（一例として４５ｍ）、荷重が集中する下棚４の長さはｂ[ｍ]（一例として４３ｍ）、側棚の縦方向の長さはｃ[ｍ]（一例として１０．１４ｍ）である。上棚３の両端および下棚４の両端にはそれぞれループ１０が設けられている。
【００２１】
身網１００の網地２は、漁獲用網地部２Ａおよび細目部２Ｂを含む。漁獲用網地部２Ａは、対象魚種に対応した目合の網地部であり、細目部２Ｂは、当該網地２のうち水域表層部（例示すれば上述の水深0.4ｍまでの層だが、これは適宜変更可能であり、特定の領域に限定されないことはいうまでもない）に位置する領域の少なくとも一部に形成された、図中では明示されていないが上述の漁獲用網地部２Ａよりも小さい目合の網地部である。なお、ここでいう目合は所定長さの中にある結節（結び目）の数で表したものであり（節目）、目合が小さいほど結び目が多い。
【００２２】
本実施形態の身網１００の網地２は、網目がｄ[ｍｍ]（一例として６５ｍｍ）、網目の内部サイズ（結節から結節まで）がｅ[ｍｍ]（一例として２Ａ目合（６５ｍｍ×２＝）１３０ｍｍ）である。また、魚を漁獲する漁獲用網地部２Ａの網糸の直径はｆ[ｍｍ]（一例として０．４７２ｍｍ）である。網地２の上側ｘ列（一例として４列）は、身網の網目と異なるサイズで、一例として２Ｂ目合１１５ｍｍ、糸の太さはｇ[ｍｍ]（一例として１．６ｍｍ）で漁獲用網地部２Ａの糸よりも太いため、魚の掛かりが比較的劣っており、水域の表層部では魚が網に刺さらない。これにより、海鳥や海獣が魚に呼び寄せられて網に刺さるという事態を回避することができる。また、細目部２Ｂは、上述したように漁獲用網地部２Ａよりも目合が小さく（つまり網目が細かく）、尚かつ、糸が漁獲用網地部２Ａの糸よりも太いことから、海鳥の足等の絡まりを軽減させる。
【００２３】
はめ込み網２００は、身網１００とは構造が異なる網で、上棚３が２つあり（第１の上棚３１、第２の上棚３２）、網地２の上側ｘ列（一例として４列）が存在しない（図４、図５参照）。第１の上棚３１には浮子５が装備されている。第２の上棚３２には浮子は付いておらず、浮子５を装備した第１の上棚３１と長さがｈ[ｍ]（一例として０．４０ｍ）の吊り糸７で結ばれており、この吊り糸７によって、ｉ[ｍ]（一例として０．５６ｍ）間隔で棚どうしを固定し、第２の上棚３２が吊られた状態としている。こうして、水域表層部に位置する第１の上棚３１と第２の上棚３２との間に、これら第１の上棚３１、第２の上棚３２、および吊り糸７で囲繞された、高さ方向ｈ[ｍ]×横方向ｉ[ｍ]のサイズの開口部（窓）２Ｃが形成されている。
【００２４】
また、はめ込み網２００のうち、第２の上棚３２から下棚４までの部分には漁獲用網地部２Ａが形成されている（図４、図５参照）。この漁獲用網地部２Ａの構造は基本的には身網１００におけるものと同様である。
【００２５】
袖網３００は、太さｆ[ｍｍ]（一例として０．４７２ｍｍ）の糸で網目ｊ[ｍｍ]（一例として４０ｍｍ）の網地２でできたおよそ台形（または三角形）の網である（図６、図７参照）。台形の高さと同じ袖網３００の端を、身網１００またははめ込み網２００の主要部分の端と固定する。
【００２６】
本実施形態の囲い網１には２つの袖網３００があり、一方は支柱袖網(shore wing)３１０、もう一方は牽引袖網(tow wing)３２０である（図１参照）。支柱袖網３１０は、ラジオブイ８と、漁具を安定させるためのブイ９を支える沈子６を装備している（図１参照）。
【００２７】
また、本実施形態の囲い網１は、身網１００とはめ込み網２００を最低でも９：１の比率で（別言すれば、はめ込み網２００の占める割合が少なくとも１０％となるように）配置する構造である。こうした場合、囲い網１の長さのうち最低でも１０％が海水表層部を覆わない部分（すなわち開口部２Ｃ）となる。海獣が囲い網１から脱出しやすくするため、囲い網１におけるはめ込み網２００の数量を増やし、身網１００で覆われない面積を広げるようにしてもよい。
【００２８】
なお、本実施形態の囲い網１は、その全長を、一例として１２，１９０ｍ以内にまで拡張することができる、底の無い囲い網である。これは定置刺し網あるいは長さ４，０００ｍの流し網（漂浮していない時）の漁獲能力と同等である。
【００２９】
続いて、上述のごとき囲い網１を使った漁業の手順の一例を説明する（図８、図９参照）。囲い網１の投網の手順は例えば以下のとおりである。
【００３０】
(1) ラジオブイ８と沈子６の付いたブイ９が装備されている支柱袖網(shore wing)３１０を張る。
【００３１】
(2) 曲線航路において、ラジオブイ８のシグナルで位置を確認しながら、投網の軌道が円になるように計算しながら、囲い網１を張っていく（図８参照）。こうすると、囲う面積が最大となる。
【００３２】
(3) 投網が終わったら支柱袖網(shore wing)３１０を船Ｓの舷に結び付け（図９参照）、揚網機で牽引袖網(tow wing)３２０側から囲い網１を引き揚げ始め、漁具（囲い網１等）を船Ｓに完全に引き揚げるまで行う。ただし、漁具がもつれる可能性があるので、これを避けるべく、囲い網１を静止させないようにする。囲い網１の引き揚げプロセスを早めるために、同時に２台の揚網機を使用することができる。この場合、引き揚げは支柱袖網(shore wing)３１０の後に、囲い網１の最後の部分である牽引袖網３２０というように、同時に行われる。
【００３３】
既述のように、流し網漁業の主要な環境リスクは海鳥と海獣を不本意に混獲してしまうことであるが、流し網の代替漁具にもなり得る本実施形態の囲い網１を使用すれば、このリスクを大幅に低減させ、あるいはなくすことができる。すなわち、囲い網１の身網１００の網地２の上層部に、漁獲用網地部２Ａよりも糸が太い細目部２Ｂを設けることにより、海の表層部にいる魚の掛かりが少なくなるので、海鳥等が漁具におびき寄せられることが少なくなる。また、囲い網１の内側に偶然に入り込んでしまった海獣は、はめ込み網２００の開口部（窓）２Ｃを通り抜けることにより、捕獲ゾーンを問題なくすり抜けることができる。
【００３４】
また、囲い網１は漁業サイクルを途切れさせることなくコントロールすることができる移動漁具なので、海鳥や海獣が群れている場所に投網することを避け、計画的に投網し、漁業プロセスを進行させることが可能な漁具でもある。
【００３５】
なお、上述の実施形態は本発明の好適な実施の一例ではあるがこれに限定されるものではなく本発明の要旨を逸脱しない範囲において種々変形実施可能である。例えば、上述の実施形態では特に説明ないし図示していないが、はめ込み網２００を構成する第１の上棚３１、吊り糸７、および第２の上棚３２のうち、開口部２Ｃを囲繞する部分の少なくとも一部を、その他の部分よりも太くしてもよい。同様に、身網１００を構成する細目部２Ｂの少なくとも一部を、当該細目部２Ｂのその他の部分よりさらに太くしてもよい。こうすることで、細い網だと視認することが難しい海鳥に網の存在を認識させやすくすることができる。
【００３６】
また、上述した実施形態では、本発明に係る漁網が囲い網１である場合について説明したがこれは好適な一例にすぎず、この他、流し網等にも本発明を適用することが可能である。
【００３７】
また、上述した実施形態では公海などで投網する場合を例示したが、本発明に係る漁網は海だけでなく湖や河川などにおいても実施可能であることはいうまでもない。
【産業上の利用可能性】
【００３８】
本発明は、囲い網漁に用いられる囲い網など、漁場で使用される各種の漁網に適用して好適である。
【符号の説明】
【００３９】
１…囲い網（漁網）
２…網地
２Ａ…漁獲用網地部
２Ｂ…細目部
２Ｃ…開口部
３…上棚
３１…第１の上棚
３２…第２の上棚
４…下棚
５…浮子
６…沈子
７…吊り糸
１００…身網
２００…はめ込み網
３００…袖網
【図１】
2017153435.tif 000003
【図２】
2017153435.tif 000004
【図３】
2017153435.tif 000005
【図４】
2017153435.tif 000006
【図５】
2017153435.tif 000007
【図６】
2017153435.tif 000008
【図７】
2017153435.tif 000009
【図８】
2017153435.tif 000010
【図９】
2017153435.tif 000011
【手続補正書】
【提出日】平成29年7月12日(2017.7.12)
【手続補正１】
【補正対象書類名】特許請求の範囲
【補正対象項目名】全文
【補正方法】変更
【補正の内容】
【特許請求の範囲】
【請求項１】
網地、上棚、下棚、浮子、沈子を含む漁網において、
前記網地は、
対象魚種に対応した目合の漁獲用網地部と、
当該網地のうち水域表層部に位置する領域の少なくとも一部に形成された、前記漁獲用網地部よりも小さい目合の細目部、及び／または、当該網地のうち水域表層部に位置する領域の少なくとも一部に形成された、網が張られずに少なくとも海獣が通り抜け可能な大きさとされた開口部と、
によって構成されている、漁網。
【請求項２】
前記開口部は、第１の上棚と、該第１の上棚に設けられた吊り糸と、該吊り糸によって吊られた第２の上棚と、によって囲繞された空間内に形成されている、請求項１に記載の漁網。
【請求項３】
前記第１の上棚、前記吊り糸、および前記第２の上棚のうち、前記開口部を囲繞する部分の少なくとも一部がその他の部分よりも太い、請求項２に記載の漁網。
【請求項４】
前記細目部の少なくとも一部が、当該細目部のその他の部分よりも太い、請求項１から３のいずれか一項に記載の漁網。
【請求項５】
前記細目部が、前記漁獲用網地部を構成する糸よりも太い糸で構成されている、請求項１から４のいずれか一項に記載の漁網。
【請求項６】
前記漁獲用網地部および前記細目部を含む身網と、
前記漁獲用網地部および前記開口部を含むはめ込み網と、
が組み合わされて構成されている、請求項１から５のいずれか一項に記載の漁網。
【請求項７】
前記身網と前記はめ込み網が組み合わされ、さらにその両端に袖網が組み合わされて構成されている、請求項６に記載の漁網。
【請求項８】
網の総量に対して前記はめ込み網が占める割合が１０％以上である、請求項６または７に記載の漁網。
【請求項９】
囲い網漁用の囲い網である、請求項１から８のいずれか一項に記載の漁網。